【手続補正書】
【提出日】平成30年4月11日(2018.4.11)
【手続補正１】
【補正対象書類名】明細書
【補正対象項目名】発明の名称
【補正方法】変更
【補正の内容】
【発明の名称】画像処理装置、及び画像処理方法
【手続補正２】
【補正対象書類名】明細書
【補正対象項目名】０００１
【補正方法】変更
【補正の内容】
【０００１】
本発明は、画像処理装置、及び画像処理方法に関する。
【手続補正３】
【補正対象書類名】明細書
【補正対象項目名】０００６
【補正方法】変更
【補正の内容】
【０００６】
上述した課題を解決するために本発明は、
撮像画像を取得する画像取得手段と、
前記画像取得手段によって取得された撮像画像内から人物の顔を検出する第１の検出手段と、
撮影指示が連続して行われ、当該撮影指示毎に前記画像取得手段によって撮像画像が取得される連続撮影が継続しているか否かを判別する判別手段と、
前記第１の検出手段によって前記取得された撮像画像内から人物の顔が検出された場合には、前記判別手段によって連続撮影が継続していると判別されている間は、前記取得される各撮像画像に対して、人物の顔に応じた所定の画像処理を施す画像処理手段と、
を備えることを特徴とする画像処理装置である。
【手続補正４】
【補正対象書類名】明細書
【補正対象項目名】００４８
【補正方法】変更
【補正の内容】
【００４８】
顔可能性領域を検出することができた場合には（ステップＣ１１でＹＥＳ）、上述の顔検出時に一時記憶しておいた髪の色情報を読み出し、この髪の色情報と同等の色情報を有する領域であり、かつ、所定の面積以上の領域を、人物の髪領域として検出する処理を行う（ステップＡ１２）。すなわち、髪の色情報と同等の色（同一色又は近似色）で、かつ図８（２）に示すように顔検出領域を除いた矩形領域（図中、粗い破線で囲った矩形領域）で、そのＸ方向の長さ（幅）を顔検出領域の幅の２．０倍、そのＹ方向の長さ（高さ）を顔検出領域の高さの１．５倍とした大きさ領域であって、その領域の下端を顔可能性領域の下端に一致させた位置に配置した領域を髪領域として検出する。
【手続補正５】
【補正対象書類名】特許請求の範囲
【補正対象項目名】全文
【補正方法】変更
【補正の内容】
【特許請求の範囲】
【請求項１】
撮像画像を取得する画像取得手段と、
前記画像取得手段によって取得された撮像画像内から人物の顔を検出する第１の検出手段と、
撮影指示が連続して行われ、当該撮影指示毎に前記画像取得手段によって撮像画像が取得される連続撮影が継続しているか否かを判別する判別手段と、
前記第１の検出手段によって前記取得された撮像画像内から人物の顔が検出された場合には、前記判別手段によって連続撮影が継続していると判別されている間は、前記取得される各撮像画像に対して、人物の顔に応じた所定の画像処理を施す画像処理手段と、
を備えることを特徴とする画像処理装置。
【請求項２】
前記判別手段は、当該画像処理装置の状態が所定の状態に変化するまでは、連続撮影が継続していると判別することを特徴とする請求項１に記載の画像処理装置。
【請求項３】
前記判別手段は、少なくともホワイトバランスの光源判定の切り替わり、ライトバリュー値の急激な変化、撮像レンズ部の回転、及びフォーカス距離の急激な変化のうちのいずれかを、当該画像処理装置の状態が所定の状態に変化したこと、として判別する、
ことを特徴とする請求項２に記載の画像処理装置。
【請求項４】
前記所定の画像処理の実行可否を示す情報を設定する処理を行う設定手段を、更に備え、
前記設定手段は、前記第１の検出手段によって人物の顔を検出することができたことに応じて可の情報を設定する処理を行い、前記判別手段によって連続撮影が継続していないと判別されるまでは可の情報を維持し、
前記画像処理手段は、前記可の情報が設定されている間は、前記取得される各撮像画像に対して、前記所定の画像処理を施す、
ことを特徴とする請求項２又は３に記載の画像処理装置。
【請求項５】
前記画像処理手段は、前記第１の検出手段によって人物の顔を検出することができるか否かによらず、前記判別手段によって連続撮影が継続していると判別されている間は、前記所定の画像処理を施すことを特徴とする請求項１乃至４の何れか１項に記載の画像処理装置。
【請求項６】
撮像手段によって撮像画像を取得する画像取得手段と、
前記画像取得手段によって取得された撮像画像内から人物の顔を検出する第１の検出手段と、
前記撮像手段を構成する撮像レンズの収差を補正する情報に基づいて前記撮像画像を補正した撮像画像内から、人物の顔を検出する第２の検出手段と、
前記第１の検出手段によって人物の顔を検出することができた場合、及び前記第２の検出手段によって人物の顔を検出することができた場合には、前記取得された撮像画像に対して人物の顔に応じた所定の画像処理を施す画像処理手段と、
を備えることを特徴とする画像処理装置。
【請求項７】
前記画像処理手段は、前記第１の検出手段によって人物の顔を検出することができなかった場合であっても、前記第２の検出手段によって人物の顔を検出することができた場合には、前記所定の画像処理を施すことを特徴とする請求項６に記載の画像処理装置。
【請求項８】
前記第１の検出手段、前記第２の検出手段、及び前記画像処理手段は、撮影指示が連続して行われ、当該撮影指示毎に前記画像取得手段によって撮像画像が取得される連続撮影中において、各々の処理を実行することを特徴とする請求項６又は７に記載の画像処理装置。
【請求項９】
撮像画像を取得する画像取得手段と、
前記画像取得手段によって取得された撮像画像内から人物の顔を検出する第１の検出手段と、
撮影指示が連続して行われ、当該撮影指示毎に前記画像取得手段によって撮像画像が取得される連続撮影中において、当該取得される撮像画像内の各々に前記第１の検出手段によって人物の顔を検出することができる場合と、人物の顔を検出することができない場合と、で異なる判別条件によって、各撮像画像に対して人物の顔に応じた所定の画像処理を施す必要があるか否かを判別する判別手段と、
前記判別手段による判別結果に応じて、前記取得される各撮像画像に対して前記所定の画像処理を施す画像処理手段と、
を備えることを特徴とする画像処理装置。
【請求項１０】
前記判別手段は、人物の顔を検出することができたことを判別条件として、前記所定の画像処理を施す必要があると判別する一方、人物の顔を検出することができない場合であっても、人物の顔を検出することができた他の撮像画像から設定された他の判別条件を満たす場合には、前記所定の画像処理を施す必要があると判別することを特徴とする請求項９に記載の画像処理装置。
【請求項１１】
前記第１の検出手段によって人物の顔を検出することができた場合に、前記所定の画像処理の実行可否を示す情報として可の情報を設定する処理を行う設定手段を、更に備え、
前記判別手段は、前記第１の検出手段によって人物の顔を検出することができない場合であっても、前記設定手段によって前記可の情報が設定されている場合には、前記所定の画像処理を施す必要があると判別することを特徴とする請求項９又は１０に記載の画像処理装置。
【請求項１２】
前記第１の検出手段によって人物の顔を検出することがされた撮像画像内から取得された人物に係る色情報に基づき、前記取得された撮像画像内から人物に係る色情報を満たす領域を検出する第２の検出手段を、更に備え、
前記判別手段は、前記第１の検出手段によって人物の顔を検出することができない場合であっても、前記第２の検出手段によって人物に係る色情報を満たす領域を検出することができた場合には、前記所定の画像処理を施す必要があると判別することを特徴とする請求項９又は１０に記載の画像処理装置。
【請求項１３】
撮像画像を取得する画像取得処理と、
前記画像取得処理で取得した撮像画像内から人物の顔を検出する第１の検出処理と、
撮影指示が連続して行われ、当該撮影指示毎に前記画像取得処理で撮像画像が取得される連続撮影が継続しているか否かを判別する判別処理と、
前記第１の検出処理で前記取得した撮像画像内から人物の顔が検出された場合には、前記判別処理で連続撮影が継続していると判別している間は、前記取得される各撮像画像に対して、人物の顔に応じた所定の画像処理を施す画像処理と、
を含むことを特徴とする画像処理方法。
【請求項１４】
撮像手段によって撮像画像を取得する画像取得処理と、
前記画像取得処理で取得した撮像画像内から人物の顔を検出する第１の検出処理と、
前記撮像手段を構成する撮像レンズの収差を補正する情報に基づいて、前記取得した撮像画像を補正した撮像画像内から、人物の顔を検出する第２の検出処理と、
前記第１の検出処理で人物の顔を検出することができた場合、及び前記第２の検出処理で人物の顔を検出することができた場合には、前記取得した撮像画像に対して所定の画像処理を施す画像処理と、
を含むことを特徴とする画像処理方法。
【請求項１５】
撮像画像を取得する画像取得処理と、
前記画像取得処理で取得した撮像画像内から人物の顔を検出する第１の検出処理と、
撮影指示が連続して行われ、当該撮影指示毎に前記画像取得処理で撮像画像を取得する連続撮影中において、当該取得する撮像画像内の各々に前記第１の検出処理で人物の顔を検出することができる場合と、人物の顔を検出することができない場合と、で異なる判別条件によって、各撮像画像に対して人物の顔に応じた所定の画像処理を施す必要があるか否かを判別する判別処理と、
前記判別処理における判別結果に応じて、前記取得される保存用の撮像画像に対して前記所定の画像処理を施す画像処理と、
を含むことを特徴とする画像処理方法。
【手続補正６】
【補正対象書類名】図面
【補正対象項目名】図４
【補正方法】変更
【補正の内容】
【図４】
2017130976.tif 000001